(57)【要約】【課題】  レンズの撮像素子に対する位置決め作業にかかる時間を短縮し、生産性を向上できるカメラ付きドアホン子機を提供する。【解決手段】  カメラ付きドアホン子機は、基板２と、基板２の前面に実装される位置決め台３０と、位置決め台３０の前面に配置されて基板２と電気的に接続される撮像素子３と、撮像素子３の前方に配置されるレンズ４を備えて基板２の前面に固定配置されるレンズカバー５とで構成されるカメラブロック１、及び造営面に設置されてカメラブロック１が前面方向を撮像方向として収納される筐体６を備え、レンズカバー５には、基板２の前面方向に交差する方向において位置決め台３０と当接することでレンズカバー５の撮像素子３に対する位置決めを行う一対のリブ５０ｄ，５０ｄが設けられている。【選択図】図１
2006304225.tif 000002
【特許請求の範囲】
【請求項１】
基板と、基板の前面に実装される位置決め台と、位置決め台の前面に配置されて基板と電気的に接続される撮像素子と、撮像素子の前方に配置されるレンズを備えて基板の前面に固定配置されるレンズカバーとで構成されるカメラブロック、及び造営面に設置されてカメラブロックが前面方向を撮像方向として収納される筐体を備え、レンズカバーには、基板の前面方向に交差する方向において位置決め台と当接することでレンズカバーの撮像素子に対する位置決めを行う当て部が設けられていることを特徴とするカメラ付きドアホン子機。
【請求項２】
当て部は、筐体が造営面に設置された状態で、上下方向において位置決め台と当接していることを特徴とする請求項１に記載のカメラ付きドアホン子機。
【請求項３】
当て部は、位置決め台と部分的に当接するリブからなることを特徴とする請求項１又は２に記載のカメラ付きドアホン子機。
【発明の詳細な説明】
【技術分野】
【０００１】
本発明は、監視、防犯、来客対応等の用途に用いられるカメラ付きドアホン子機に関する。
【背景技術】
【０００２】
従来のカメラ付きドアホン子機としては、図５（ａ）に示すように、基板１１０と、基板１１０の前面に実装される撮像素子１２０と、撮像素子１２０の前方に配置されるレンズ１３０を備えて基板１１０の前面に固定配置されるレンズカバー１４０とで構成されるカメラブロック１００、及び造営面に設置されてカメラブロック１００が前面方向を撮像方向として収納される筐体（図示せず）を備えたものが提供されている。
【０００３】
従来のカメラブロック１００は、上述したように、基板１１０と、撮像素子１２０と、レンズ１３０と、レンズカバー１４０とで構成され、撮像素子１２０は基板１１０に実装され、レンズ１３０はレンズカバー１４０に設けられている。
【０００４】
基板１１０は、平板状のプリント配線板１１１に、画像伝送用の回路を構成する電子部品（図示せず）等が実装されてなり、図５（ａ）に示すように、前面の略中央部に撮像素子１２０が実装されている。また、プリント配線板１１１には、図５（ａ）に示すように、レンズカバー１４０の左右方向における位置決め用の一対の係止孔１１１ａ，１１１ａと、レンズカバー１４０を基板２に取り付けるための取付ねじ（図示せず）が挿通される一対のねじ挿通孔１１１ｂ，１１１ｂとが設けられており、係止孔１１１ａ及びねじ挿通孔１１１ｂは、レンズカバー１４０の基板１１１に対する上下方向の相対位置を調整できるように、上下方向を長手方向とする長孔状に形成されている。
【０００５】
レンズカバー１４０は、たとえば樹脂成形品であり、図５（ｂ）に示すように、後面が開口した略直方体の箱状に形成されて撮像素子１２０を覆うようになっている。また、レンズカバー１４０の前面部には、撮像素子１２０を外部に臨ませる略円形状のレンズ孔１４０ａが形成されており、このレンズ孔１４０ａの内側面にはねじ溝が形成されている。このレンズ孔１４０ａには、レンズ１３０を備えるレンズブロック１４１が取り付けられて、撮像素子１２０に外部からの光を受光させることができるようになっている。
【０００６】
加えて、レンズカバー１４０の後端面には、上記プリント配線板１１１の一対の係止孔１１１ａにそれぞれ挿入される一対の脚片１４０ｂ，１４０ｂが突設されるとともに、上記プリント配線板１１１の一対のねじ挿通孔１１１ｂとそれぞれ連通する一対のねじ孔（図示せず）が開口している。
【０００７】
ここで、上記のレンズブロック１４１は、図５（ｂ）に示すように、両端が開口した円筒状の樹脂成形部１４１ａと、樹脂成形部１４１ａの前端側の開口に被着されるレンズ１３０とで構成されている。また、この樹脂成形部１４１ａの後端側の外周面には、レンズ孔１４０ａの内側面に形成されたねじ溝に対応するねじ溝が形成されており、これによって、レンズブロック１４１をレンズカバー１４０に着脱自在に取り付けることができるようになっている。
【０００８】
上記の部材からカメラブロック１００は構成され、カメラブロック１００は、撮像素子１２０が実装された基板１１０の前面に、取付ねじ（図示せず）を用いてレンズカバー１４０を固定することで得られる。
【０００９】
一方、従来のカメラ付きドアホン子機の他の例としては、基板と、基板の前面の所定位置に実装される撮像素子と、撮像素子の前方に配置されるレンズを保持するとともに上下方向に摺動自在に基板に取り付けられる摺動部と、基板に取り付けられて摺動部を摺動させる調節ねじとを備えたカメラブロックを有するものが提供されている（特許文献１）。
【特許文献１】特許第３６２０１７６号公報（第２図）
【発明の開示】
【発明が解決しようとする課題】
【００１０】
ところで、前者のカメラ付きドアホン子機において、単にレンズカバー１４０を基板１１０へ取り付けただけでは、図５（ｂ）に示すように、撮像素子１２０のセンサの中心軸Ｌ３とレンズ１３０の中心軸Ｌ４とがずれて、所望の撮像範囲が得られないおそれがある。
【００１１】
したがって、レンズカバー１４０を基板１１０に取り付ける際には、中心軸Ｌ３と中心軸Ｌ４とが略一致するように撮像素子１２０に対するレンズ１３０の位置を設定する必要があり、前者のカメラ付きドアホン子機では、次のようにしてレンズカバー１４０が基板１１０に取り付けられている。まず、レンズカバー１４０の一対の脚片１４０ｂを基板１１０の一対の挿通孔１１１ａ，１１１ａにそれぞれ挿入するとともに、レンズカバー１４０の一対のねじ孔（図示せず）を基板１１０の一対のねじ挿通孔１１１ｂ，１１１ｂにそれぞれ連通させた状態で、レンズカバー１４０を基板１１０の前面に配置する。次に、基板１１０のねじ挿通孔１１１ｂ，１１１ｂを介してレンズカバー１４０のねじ孔に取付ねじ（図示せず）をそれぞれ螺入して、レンズカバー１４０が基板１１０上を移動できる程度に仮止めする。そして、レンズカバー１４０の位置を調整して、撮像素子１２０の中心軸Ｌ３とレンズ１３０の中心軸Ｌ４とを略一致させ、この状態で、レンズカバー１４０の本止めを行う。
【００１２】
このようにすれば、中心軸Ｌ３と中心軸Ｌ４とを略一致させて、所望の撮像範囲を得ることができるが、各中心軸Ｌ３，Ｌ４を一致させる作業は、作業者が一致しているかどうかを逐次確認しつつ、手でレンズカバー１４０を移動させて位置決めを行うものであるから、このような位置決め作業に非常に時間がかかり、生産性が著しく悪いという問題があった。
【００１３】
一方、後者のカメラ付きドアホン子機では、撮像素子とレンズの中心軸を調整する作業を、調節ねじを用いて摺動部を摺動させることで行えるため、前者のカメラ付きドアホン子機のように手で位置合わせを行うものに比べると、作業性を改善できていたが、中心軸の調整については、作業者が逐次確認を行う点に代わりは無いため、撮像素子とレンズとの位置決め作業に時間がかかる点は、改善できていなかった。
【００１４】
本発明は上述の点に鑑みて為されたもので、その目的は、レンズの撮像素子に対する位置決め作業にかかる時間を短縮し、生産性を向上できるカメラ付きドアホン子機を提供することである。
【課題を解決するための手段】
【００１５】
上述の課題を解決するために、請求項１のカメラ付きドアホン子機では、基板と、基板の前面に実装される位置決め台と、位置決め台の前面に配置されて基板と電気的に接続される撮像素子と、撮像素子の前方に配置されるレンズを備えて基板の前面に固定配置されるレンズカバーとで構成されるカメラブロック、及び造営面に設置されてカメラブロックが前面方向を撮像方向として収納される筐体を備え、レンズカバーには、基板の前面方向に交差する方向において位置決め台と当接することでレンズカバーの撮像素子に対する位置決めを行う当て部が設けられていることを特徴とする。
【００１６】
請求項１の発明によれば、撮像素子と基板との間に位置決め台を設けて、レンズカバーに位置決め台に当接する当て部を設けているので、レンズカバーの当て部を位置決め台に当接させるだけの簡単な作業で、レンズカバーに設けたレンズの撮像素子に対する位置決めを行え、これにより、位置決め作業にかかる時間を短縮して、生産性を向上することができる。
【００１７】
請求項２のカメラ付きドアホン子機では、請求項１の構成に加えて、当て部は、筐体が造営面に設置された状態で、上下方向において位置決め台と当接していることを特徴とする。
【００１８】
請求項２の発明によれば、位置決め作業を上下方向の一方向でのみ行うので、さらに位置決め作業にかかる時間を短縮でき、これにより、生産性のさらなる向上を図ることができる。
【００１９】
請求項３のカメラ付きドアホン子機では、請求項１又は２の構成に加えて、当て部は、位置決め台と部分的に当接するリブからなることを特徴とする。
【００２０】
請求項３の発明によれば、当て部が位置決め台に部分的に当接するリブであるから、リブと当接しない位置決め台の部位に撮像素子と基板とを接続するための配線を行え、これにより、位置決め台の製作を容易に行える。
【発明の効果】
【００２１】
本発明は、レンズカバーに設けた当て部を撮像素子と基板との間に設けた位置決め台に当接させるだけの簡単な作業で、レンズの撮像素子に対する位置決めを行え、これにより、位置決め作業にかかる時間を短縮して、生産性を向上することができる。
【発明を実施するための最良の形態】
【００２２】
以下に、本発明のカメラ付きドアホン子機（以下、単にドアホン子機という）の一実施形態について、図１〜図４を参照して説明する。尚、以下の説明では、特に断りがない限りは、図１（ａ）の上側をドアホン子機の上側、図１（ａ）の下側をドアホン子機の下側、図１（ａ）の右側をドアホン子機の右側、図１（ａ）の左側をドアホン子機の左側、図１（ａ）の紙面奥側をドアホン子機の前側、図１（ａ）の紙面手前側をドアホン子機の後側とする。
【００２３】
本実施形態のドアホン子機は、図１（ｂ）に示すように、基板２と、基板２の前面に実装される位置決め台３０と、位置決め台３０の前面に配置されて基板２と電気的に接続される撮像素子３と、撮像素子３の前方に配置されるレンズ４を備えて基板２の前面に固定配置されるレンズカバー５とで構成されるカメラブロック１、及び造営面（図示せず）に設置されてカメラブロック１が前面方向を撮像方向として収納される筐体６を備え、レンズカバー５には、位置決め台３０と当接することでレンズカバー５の撮像素子３に対する位置決めを行う一対のリブ５０ｄ，５０ｄが設けられている。
【００２４】
カメラブロック１は、図２（ａ）に示すように、基板２と、撮像素子３と、位置決め台３０と、レンズ４と、レンズカバー５とで構成され、撮像素子３は位置決め台３０を介して基板２に実装され、レンズ４はレンズカバー５に設けられている。
【００２５】
基板２は、図２（ａ）に示すように、平板状のプリント配線板２０に、画像伝送用の回路を構成する電子部品（図示せず）等が実装されてなり、前面の略中央部には位置決め台３０が実装されている。この位置決め台３０は、たとえば撮像素子３と基板２とを電気的に接続する配線パターン（図示せず）が前面から各側面に亘るように形成された矩形状の絶縁基板からなり、半田３１（図１（ａ）参照）によって上記の配線パターンが基板２に電気的に接続されることで、基板２に実装されている。そして、撮像素子３は、位置決め台３０の前面に実装され、上記の配線パターンを介して撮像素子３と基板２とが電気的に接続されることになる。
【００２６】
また、プリント配線板２０には、図２（ａ）に示すように、レンズカバー５０の左右方向の位置決めを行う一対の係止孔２０ａ，２０ａと、レンズカバー５０を基板２に取り付けるための取付ねじ（図示せず）がそれぞれ挿通される一対のねじ挿通孔２０ｂ，２０ｂとが設けられており、係止孔２０ａ，２０ａ及びねじ挿通孔２０ｂ，２０ｂは、レンズカバー５０の基板２に対する上下方向の位置を調整できるように、上下方向を長手方向とする長孔状に形成されている。
【００２７】
レンズカバー５は、たとえば樹脂成形品であり、図１及び図２に示すように、後面が開口した略直方体の箱状に形成されて撮像素子３及び位置決め台３０を覆うカバー本体５０と、カバー本体５０の左右方向（水平方向）の両側面に突設された平板状の左片部５１及び右片部５２と、右片部５２の先端部（右端部）から後方へ延出された側板部５３とを一体に備えている。
【００２８】
カバー本体５０には、前面部に撮像素子３を外部に臨ませる略円形状のレンズ孔５０ａが形成されており、このレンズ孔５０ａの内周面にはねじ溝が形成されている。このレンズ孔５０ａには、レンズ４を備えるレンズブロック５４が取り付けられて、撮像素子３に外部からの光を受光させることができるようになっている。また、カバー本体５０の後端面には、図１（ａ）に示すように、上記プリント配線板２０の一方の係止孔２０ａに挿入される脚片５０ｂが突設されるとともに、上記プリント配線板２０の一方のねじ挿通孔２０ｂと連通するねじ孔５０ｃが開口している。加えて、カバー本体５０の下壁部の内側面には、図１（ｂ）に示すように、撮像素子３のセンサの中心軸（以下、撮像素子３の中心軸と略す）Ｌ１とレンズカバー５のレンズ４の中心軸Ｌ２とが略一致するようにレンズカバー５の撮像素子３に対する位置を位置決めする当て部となる一対のリブ５０ｄ，５０ｄが設けられている。ここで、一対のリブ５０ｄ，５０ｄの突出寸法は、筐体６を造営面に設置した状態で、リブ５０ｄ，５０ｄを位置決め台３０の下側面に当接させた際に、レンズカバー５に取り付けられたレンズ３の中心軸Ｌ２と、位置決め台３０の前面に実装された撮像素子３の中心軸Ｌ１とが上下方向において略一致するように設定されている。
【００２９】
一方、上記のレンズブロック５４は、図１（ｂ）に示すように、両端が開口した円筒状の樹脂成形部５４ａと、樹脂成形部５４ａの前端側の開口に被着されるレンズ４とで構成されている。この樹脂成形部５４ａの後端側の外周面には、カバー本体５０のレンズ孔５０ａの内周面に形成されたねじ溝に対応するねじ溝が形成されており、これによって、レンズブロック５４をカバー本体５０に着脱自在に取り付けることができるようになっている。
【００３０】
左片部５１及び右片部５２の前面部にはそれぞれ支持片５１ａ，５２ａが一体に突設されており、各支持片５１ａ，５２ａの右側面には、略円柱状の軸部５１ｂ，５２ｂが一体に突設されている。これら軸部５１ｂ，５２ｂは、レンズカバー５を筐体６に水平方向を回転軸として回動自在に取り付けるためのものであるから、左右方向（水平方向）において同軸となるように設けられている。また、左片部５１の後端面には、図１（ａ）に示すように、上記プリント配線板２０の他方の係止孔２０ａに挿入される脚片５１ｃが突設されており、右片部５２の後端面には、上記プリント配線板２０の他方のねじ挿通孔２０ｂと連通するねじ孔５２ｃが開口している。加えて、右片部５２は、レンズカバー５を基板２に固定した際に、側板部５３が基板２の側方に位置するような長さ寸法に形成されている。
【００３１】
側板部５３は、図３に示すように、カメラブロック１の右側部となる平板部５３ａと、上記支持片５１ａ，５２ａの軸部５１ｂ，５２ｂを中心軸とする円弧状を有して平板部５３ａの右側面の後端縁に突設された後壁部５３ｂとを一体に備え、平板部５３ａの前後方向の長さ寸法は、レンズカバー５を基板２の前面に固定配置した際に、後壁部５３ｂが基板２よりも後方に位置する程度の大きさに設定されている。また、平板部５３ａの後壁部５３ｂ側には、上記軸部５１ｂ，５２ｂを中心軸とする円弧状に所定間隔で複数のリブ５３ｃ…が一体に突設されている。加えて、後壁部５３ｂの後面側の上下方向における略中央部には、角度調整用レバー５５が一体に突設されている。
【００３２】
そして、カメラブロック１は、撮像素子３が位置決め台３０を介して実装された基板２の前面に、取付ねじ（図示せず）を用いてレンズカバー５を固定することで得られるのであるが、このレンズカバー５の基板２への取り付けは次のようにして行われる。まず、図１（ａ）に示すように、レンズカバー５の一対の脚片５０ｂ，５１ｃを基板２の一対の挿通孔２０ａ，２０ａにそれぞれ挿入するとともに、レンズカバー５の一対のねじ孔５０ｃ，５２ｃを基板２の一対のねじ挿通孔２０ｂ，２０ｂにそれぞれ連通させた状態で、図２（ｂ）に示すように、レンズカバー５を基板２の前面に配置する。次に、基板２のねじ挿通孔２０ｂ，２０ｂを介してレンズカバー５のねじ孔５０ｃ，５２ｃに取付ねじ（図示せず）をそれぞれ螺入して、レンズカバー５が基板２上を移動できる程度に仮止めする。この後に、レンズカバー５を上方へ移動させて、図１（ａ），（ｂ）に示すように、レンズカバー５のリブ５０ｄ，５０ｄを位置決め台３０の下側面に当接させ、このようにレンズカバー５を撮像素子３に対して位置決めした状態で、レンズカバー５の本止めを行う。
【００３３】
このようにしてレンズカバー５を基板２に取り付けた際には、リブ５０ｄ，５０ｄと位置決め台３０とを当接させていることにより、レンズ４の中心軸Ｌ２と撮像素子３の中心軸Ｌ１とが上下方向において略一致するようにレンズ４の撮像素子３に対する位置決めがなされ、また、基板２の係止孔２０ａ，２０ａにレンズカバー５の脚片５０ｂ，５１ｃを挿入していることによって左右方向においても、レンズ４と撮像素子３との位置決めがなされるから、撮像素子３の中心軸Ｌ１とレンズ４の中心軸Ｌ２とが上下左右において略一致し、所望の撮像範囲が得られるのである。
【００３４】
以上により構成されたカメラブロック１は、図３に示すように、回路ブロック９とともに筐体６に収納される。ここで、回路ブロック９は、音声回路等の各種回路や呼び出しスイッチ９０ａが実装された回路基板９０と、回路基板９０に電気的に接続される、図示しない集音マイク、スピーカ、及び通話線等が接続される端子部等で構成されている。尚、図１（ａ）では、回路ブロック９は省略している。
【００３５】
次に、カメラブロック１及び回路ブロック９が収納される筐体６について説明する。筐体６は、図４に示すように、筐体６の前面部となるボディ７と、後面部となるカバー８とで構成されており、これらボディ７及びカバー８は、いずれも樹脂成形品からなる。尚、図１（ａ）では、カバー８は省略している。
【００３６】
ボディ７は、図１（ａ），（ｂ）に示すように、後面が開口した略直方体の箱状に形成されており、ボディ７の前壁部の上端中央部には、筐体６に収納されるカメラブロック１のレンズ４を筐体６外部に臨ませる円形状の窓孔７ａが形成されている。また、ボディ７の前壁部の中央部には、上下方向を長手方向とする溝部７ｂが複数形成されており、この溝部７ｂ…の側面には、スピーカ孔７ｂ１が設けられている。この複数の溝部７ｂ…の下方には、呼び出しボタン９０ａを操作するための操作部７０が前後方向に揺動自在に配置される矩形状のボタン孔７ｃが形成されている。さらに、ボタン孔７ｃの左下方には、来訪者の音声を集音マイク（図示せず）に取り込むためのマイク孔７ｄが形成されており、ボタン孔７ｃの下方には、筐体６を壁、門柱、表札ユニット内等の様々な箇所の造営面に設置するための取付台（図示せず）に固定するための取付ねじ（図示せず）用のねじ挿通孔７ｅが形成されている。加えて、ボディ７の下壁部の後端部には、左右方向に離間した一対の係止孔７ｆ，７ｆが形成されている。
【００３７】
また、ボディ７の前面部には、窓孔７ａを覆うように透光カバー（図示せず）が被着される。この透光カバーは、透光性材料から下面及び後面が開口した箱状に形成されており、ボディ７に被着された際に、窓孔７ａの周縁部でボディ７に密着接合されて、窓孔７ａから筐体６内部に水が浸水することを防止するためのものである。
【００３８】
一方、筐体６の内面となるボディ７の前壁部の裏面（後面）には、レンズカバー５の軸部５１ｂ，５２ｂをそれぞれ左右方向（水平方向）を回転軸として回動自在に支持するための軸受け部（図示せず）が設けられるとともに、レンズカバー５の側板部５３の複数の凹部５３ｃ…とともに、カメラブロック１の角度調整機構を構成する凸部（図示せず）が設けられている。さらに、ボディ７の前壁部の裏面には、カバー８をボディ７に取り付けるための取付ねじ（図示せず）が螺入されるねじ孔７５ａを備えた円筒状のボス７５が複数突設されている。
【００３９】
カバー８は、図３に示すように、ボディ７の開口した後面を覆う程度の大きさの略平板状に形成されている。このカバー８には、上記ボディ７のねじ孔７５ａにそれぞれ対応するねじ挿通孔８ａ…が設けられるとともに、カバー８の下端縁には、上記ボディ７の係止孔７ｆ，７ｆにそれぞれ係止される一対の係止爪８ｂ，８ｂが一体に突設されている。また、カバー８の下端中央部には、上記ボディ７のねじ挿通孔７ｅと連通して取付台用の取付ねじが挿通されるねじ挿通孔８ｃが形成されており、カバー８の下端側の左方には、上記回路ブロック９の端子部を外部へ臨ませるための端子接続孔８ｄが上下方向に４つ列設されている。加えて、カバー８の上端側の右方には、レンズカバー５の角度調整用レバー５５を筐体６外部へ突出させるためのレバー用孔部（図示せず）が設けられており、このレバー用孔部８ｅは、角度調整用レバー５５を上下方向に動かせるように、上下方向を長手方向とする長孔状に形成されている。
【００４０】
上記の部材によりドアホン子機は構成されており、各部材は次のようにして取り付けられている。カメラブロック１は、レンズカバー５の支持片５１ａ，５２ａの軸部５１ｂ，５２ｂを、ボディ７の図示しない軸受け部にそれぞれ軸支させることでボディ７に水平方向を回転軸として回動自在に取り付けられる。このとき、レンズブロック５４のレンズ４がボディ７の窓孔７ａから外部へ臨むとともに、側板部５３に複数設けられた角度調整用の凹部５３ｃ…と、ボディ７に設けられた図示しない凸部とが嵌合するようになっている。
【００４１】
そして、ボディ７には、回路ブロック９が、スピーカ（図示せず）を溝部７ｂに、呼び出しスイッチ９０ａを孔部７ｃに配置された操作部７５に、集音マイク（図示せず）をマイク孔７ｄにそれぞれ対応させた状態で配置収納される。この後に、図３に示すように、カバー８が後面開口を閉塞するようにしてボディ７に被着されるのであるが、カバー８の取り付けは、カバー８の係止爪８ｂ，８ｂをボディ７の係止孔７ｆ，７ｆに係止させるとともに、カバー８のねじ挿通孔８ａ…をボディ７のねじ孔７５ａ…にそれぞれ連通させた状態で、各ねじ孔７５ａ…に取付ねじ（図示せず）を螺着することで行われる。
【００４２】
このようにしてカバー８がボディ７に取り付けられた際には、カメラブロック１の角度調整用レバー５５が、カバー８のレバー用孔部（図示せず）から筐体６外部へ突出し、また、回路ブロック９の端子台（図示せず）がカバー８の端子接続孔８ｄから筐体６外部へ臨むことになる。
【００４３】
以上により図４に示す本実施形態のドアホン子機が得られ、このドアホン子機によれば、撮像素子３と基板２との間に位置決め台３０を備えるとともに、レンズカバー５に位置決め台３０に当接する一対のリブ５０ｄ，５０ｄを備えているので、レンズカバー５のリブ５０ｄを位置決め台３０に当接させるだけの簡単な作業で、レンズカバー５に設けたレンズ４の撮像素子３に対する位置決めを行え、これにより、位置決め作業にかかる時間を短縮して、生産性を向上することができる。しかも、リブ５０ｄ，５０ｄを撮像素子３に直接当接させるのではなく、撮像素子３と基板２との間に設けた位置決め台３０に当接させるようにしているので、位置決め時に撮像素子３に負荷をかけなくて済むのである。
【００４４】
ところで、本実施形態では、上下方向においてのみ位置決め台３０とレンズカバー５とを用いて、レンズ４と撮像素子３の位置決めを行っているが、左右方向においてもレンズカバー５と位置決め台３０とを用いて、レンズ４と撮像素子３の位置決めを行うようにしてもよい。しかしながら、撮像素子は、一般的に上下方向の撮像範囲に対して水平方向の撮像範囲が十分に広いため、位置決め台３０とレンズカバー５とを用いて上下方向においてのみ精細に位置決めすれば所望の撮像範囲を得ることができ、そのため上下方向においてのみ位置決めするようにすれば、左右方向においても位置決め台３０とレンズカバー５とを用いて位置決めする場合に比べて、位置決め作業にかかる時間を短縮できて、生産性のさらなる向上を図ることができるのである。
【００４５】
また、本実施形態では、位置決め台３０に当接するレンズカバー５の当て部を位置決め台３０と部分的に当接するリブ５０ｄ，５０ｄとしているので、リブ５０ｄ，５０ｄと当接しない位置決め台３０の側面の部位に撮像素子３と基板２とを電気的に接続するための配線パターンを形成して、半田３１により基板２に接続することができ、これにより、位置決め台３０にスルーホール等を形成しなくても撮像素子３と基板２の電気的接続を行えるようになって、位置決め台３０の製作を容易に行うことができる。
【００４６】
また尚、本実施形態では、位置決め台３０に配線パターンを形成して、この配線パターンを介して撮像素子３と基板２とを電気的に接続しているが、位置決め台３０に配線パターンを設けずに、位置決め台３０の前面に配置した撮像素子３と基板２とを直接電気的に接続するようにしてもよい。
【図面の簡単な説明】
【００４７】
【図１】（ａ）は、本発明のカメラ付きドアホン子機の一部を省略した後面図であり、（ｂ）は、同図（ａ）のＡ−Ａ線における断面図である。
【図２】（ａ）は、同上のカメラブロックの分解斜視図であり、（ｂ）は、同上のカメラブロックの前面図である。
【図３】同上のカメラ付きドアホン子機の分解斜視図である。
【図４】同上のカメラ付きドアホン子機の斜視図である。
【図５】（ａ）は、従来のカメラ付きドアホン子機の要部の分解斜視図であり、（ｂ）は、同上の要部の断面図である。
【符号の説明】
【００４８】
１    カメラブロック
２    基板
３    撮像素子
３０  位置決め台
４    レンズ
５    レンズカバー
５０ｄ  リブ
６    筐体
【図１】
2006304225.tif 000003
【図２】
2006304225.tif 000004
【図３】
2006304225.tif 000005
【図４】
2006304225.tif 000006
【図５】
2006304225.tif 000007